(57)【要約】 【課題】  扉や物に取り付け、開扉状態や物の動きを知るスイッチで、扉内外側から合鍵やサムターンで操作ができ、物の表面から合鍵で操作ができ、扉が開いた時や物が動いた時に発報し、扉が閉じ、物が元の位置に戻っても発報を続けるスイッチが無い。現状では制御盤を設け、その中にその為の回路を組んで使っている。制御盤が無くても自己保持のできるスイッチを作る事が課題である。【解決手段】  スイッチケース内にシリンダーやサムターンを組み付ける為のダルマを設け、ダルマに保持バネを持つ保持バーを取り付けるか組み付け、スイッチケースに設けたトリガーボルトと警報スイッチと保持バーを連動させる事で発報を保持するシステムスイッチを提供する。【選択図】図３
2005282292.tif 000002
【特許請求の範囲】
【請求項１】
扉か枠に取り付けて使用し、扉の開扉や物の動きを知る為のスイッチで、スイッチケース(２)の内外側にシリンダー(８)又はサムターン(４)を組み付ける事が可能で、合鍵やサムターンツマミ(５)を操作して内外側から運転と運転停止操作でき、運転にした状態で扉を開けると信号が発信し、その後扉を閉じても信号発信を保持し、合鍵やサムターンで運転停止するまで信号発信を続ける自己保持機能を持つシステムスイッチ。
【請求項２】
スイッチケース内の開扉スイッチ(１５)(５２)と、シリンダーやサムターンを組み付けるダルマ(７)(４４)に取り付け又は連動させた保持バネ(１１)(４８)を持つ保持バー(１２)(４７)を連動させ、保持バーを扉の開閉で動くトリガーボルト(３)(４３)と連動させた、請求項１記載のシステムスイッチの、機械的に信号発信を保持する自己保持機能。
【請求項３】
自己保持機能を電気的な自己保持機能を持つ開扉スイッチ(７８)に代え、その機能の運転と運転停止を行なう運転スイッチ(８１)を設け、運転スイッチをダルマ(７４)と連動させた、請求項１記載のシステムスイッチの電気的に信号発信を保持する自己保持機能。
【請求項４】
請求項１記載のシステムスイッチを組み込んだガードアーム錠。
【請求項５】
電池やブザーを組み込んだ請求項１記載のシステムスイッチ。
【請求項６】
請求項１記載のシステムスイッチに電源スイッチを組み合わせ、電源スイッチを運転スイッチ(２４)としたガードアーム錠。
【発明の詳細な説明】
【技術分野】
【０００１】
取り付けた対象物が動いた時に信号発信し、対象物が元の位置に戻っても信号発信を続けるスイッチで、内外側から合鍵やサムターンを使ってその運転と運転停止を行なう事ができる防犯機器である。
【背景技術】
【０００２】
特許文献１には、スイッチとシリンダーを連動させたものにキースイッチがある。
自動車のエンジンキーやマンションの共用玄関自動ドアを開ける時に使用する。
これらのスイッチでは信号発信を自己保持する為の機能は無く、自己保持が必要な時はスイッチの外部に自己保持回路を組み付ける必要がある。
【０００３】
特許文献２には、自己保持機能を持つ窓警報スイッチが有る。
これは窓の室内側に取り付け、窓が開くと信号を発信し、窓が閉じても設定時間信号を発信し続ける電気的な自己保持機能を持つものである。
しかしこのスイッチはシリンダーを組み付けたものが無く、合鍵による操作はできない。
仮にこのスイッチを合鍵で操作しようとすると、その電源をＯＮ、ＯＦする為のスイッチに、内外側から操作ができるシリンダーを組み付ける構造が必要となる。
【０００４】
電気錠には扉の開閉スイッチと施解錠スイッチが組み込まれている。
しかしこれらのスイッチは単純なスイッチで、扉が再び閉じまたは施錠すると信号発信は止まり、信号発信は保持されない。
【特許文献１】特開平７−２４６９１５号公報
【特許文献２】特開２００３−２８６７８５号公報
【発明の開示】
【発明が解決しようとする課題】
【０００５】
物が動いたことを知る信号が必要な場合、物の動きが復旧しても信号発信が続くスイッチが欲しい。スイッチを悪戯されないように合鍵で操作したい時や内外側から操作したいときに有効なスイッチが欲しい。
【０００６】
扉を例にしてそのようなスイッチの必要性を説明する。
従来のキースイッチや電気錠を使って開扉信号を取ろうとすると、扉が閉じると信号発信が止まってしまう。
従来の開扉信号では仮に泥棒が施錠した錠を破って扉を開けたとき、再度扉を閉じると信号発信は止まってしまう。開扉時に警報ブザーを鳴らしても、ブザーが鳴るのは扉を開けた数秒だけで後は止まってしまう。
ブザーは扉を閉じても鳴り続けた方が、防犯効果がある。
【０００７】
従来の自己保持機能を持つ開扉警報スイッチではシリンダーが付いていないので合鍵による操作ができず、外出時には屋外側から操作ができない。
従来の開扉警報スイッチにはスイッチセットの内外側にシリンダーを組み付ける機能は無く、そのような構造にもなっていない。
【０００８】
来客に応対する為に扉を少し開けて応じるガードアーム錠がある。そのガードアームは来客応対時に掛けて少し扉を開けて応接する。その時は、信号発信は必要無い。しかしそのガードアーム錠を主錠の補助として使う事を新たに考えた。ガードアームが掛かった状態で泥棒が主錠を破り、扉を開けても扉はガードアームによって少ししか開かない。したがって、ガードアームを破壊しない限り、泥棒は屋内に入れない。しかし、従来のガードアームやガードアーム錠は防犯強度が弱く、簡単に破壊される。
もし扉を少し開けた時に警報が鳴り、扉を再度閉じても警報が鳴り続ければ、泥棒は、ガードアームを破壊することなくその場を去っていくはずである。このように、外出時に室外側から合鍵で操作してブザーを鳴らす事のできるガードアームが存在すれば防犯に役立つ。
【０００９】
扉や蓋や他の物に取り付け、悪戯されないように外側や内外側から合鍵で操作し、扉や蓋が開いた時または物が動いた時に発報し、扉や蓋が閉じ、または物が元の位置に戻っても発報が続くような、信号発信の自己保持機能を持つシステムスイッチを作る事が課題である。
また、ガードアーム錠に組み付ける為に、スイッチの運転と運転停止も合わせて選べるスイッチを追加して組み付けたシステムスイッチも作る事が課題である。
【課題を解決するための手段】
【００１０】
扉を開けた時に発報する開扉スイッチを扉に取り付けた場合、外出する時は屋外から合鍵でスイッチを操作したい。就寝する時は屋内からサムターンで操作したい。
蓋に取り付けた場合蓋の外から合鍵でスイッチ操作をしたい。
仕切板の両側から合鍵でスイッチ操作をしたい。
これらの課題を解決する為には、スイッチセットの内外側にシリンダーやサムターンを自由に組み付け、取り外せる事が必要である。
これは、スイッチケース(２)内にシリンダーやサムターンを組み付ける為のダルマ(７)を設けることによって解決できる。このダルマにシリンダーやサムターンを組み付ける技術は、錠前分野においては周知技術である。
【００１１】
合鍵やサムターンによってスイッチの運転と運転停止を行なうためには、ダルマにスイッチを組み合わせればよい。
【００１２】
開扉信号スイッチで、扉を一度開けると発報し、次に扉を閉じても発報を続ける自己保持機能を持ち、その運転と運転停止を合鍵やサムターンで室内外から行なえるようにすることが本発明の目的である。
その為の技術は機械的な構造によって行なう方法と、電気的な保持回路を使って行なう方法が存在する。
【００１３】
機械的な構造によって信号発信保持を行なう請求項２記載の機能を２例説明する。
１つを図１、２、３で説明する。
スイッチケース内の、シリンダーやサムターンを組み付けるダルマ(７)に保持バネ(１１)を持つ保持バー(１２)を取り付ける。スイッチケース内に開扉スイッチ(１５)とトリガーボルト(３)を取り付ける。保持バーと開扉スイッチとトリガーボルトを連動させる事で、ダルマに組み付けたシリンダー(８)に差し込んだ合鍵やサムターンツマミ(５)を操作してスイッチの運転、運転停止を行なう。
図３Ａが運転停止状態を示し、扉を開閉しても発報しない。
図３Ｂが運転状態で扉が閉じていることを示す。
ダルマが回り、ダルマに保持バネを介して取り付けた保持バーがトリガーボルトに引掛かって、開扉スイッチを押せないスタンバイ状態である。
図３Ｃが運転状態で扉を開けた事を示す。
トリガーボルトが突き出して保持バーが外れ、保持バーが開扉スイッチを押し発報する。
図３Ｄがその後扉を閉じた状態で、発報が保持される事を示す。
合鍵やサムターンを回して図３Ａで示した運転停止状態にするまで発報が続く。
【００１４】
請求項１記載のシステムスイッチを組み込んだガードアーム錠（請求項４記載の発明）を説明する。
図４、５がその構造をガードアーム錠に組み付けた事を示す。
ガードアームは来客に応対する時に扉を少しだけ開けられる金具である。
応対時に扉を開けた時発報する必要は無い。
外出時に屋外からガードアームを施錠し、運転状態にした時を説明する。
泥棒が扉の主錠を破壊又は解錠し、扉を開けた時にガードアームが掛かっている為に扉は少ししか開かない。泥棒はガードアームを破壊又は解錠しなければ屋内に入れない。扉を開けたときにブザーが鳴り、慌てた泥棒が扉を閉じてもブザーが鳴り続ければ、ブザーが鳴っている中で泥棒はガードアームの破壊作業を続ける事ができない。よって泥棒は屋内に入る事ができない。
【００１５】
就寝する時や必要な時に屋内から運転状態にしても同様の効果が有る。
請求項６記載のガードアーム錠は、必要に応じて運転と運転停止を行なう為に、他に運転スイッチ(２４)を設けたものであるが、運転スイッチ（２４）の配置については、図４、図５に示す通りである。
【００１６】
あと１つ機械的な構造を図６、７、８で説明する。
ダルマ(４４)に保持バネ(４８)を持つ保持バー(４７)を連動するように組み付け、保持バーとトリガーボルト(４３)と開扉スイッチ(５２)が連動するように組み付けたものである。
図６が運転停止状態を示す。
図７Ａが運転状態で扉が閉じている事を示す。
保持バーに設けたストッパー(５０)がトリガーボルトに引掛かり、スタンバイ状態を示す。
図７Ｂが運転状態で扉を開け、発報した事を示す。
図７Ｃがその後扉を閉じた状態で、発報が保持される事を示す。
図８はその構造を錠ケース(５５)内に組み込んだ請求項４記載の錠を示す。
錠のデッドボルトを動かすダルマ(５６)と、開扉スイッチの運転を行なうダルマ(４４)を分けてある。分ける事で錠と開扉スイッチの合鍵を別にする事ができる。
また、錠は室内からサムターンで操作し、開扉スイッチは室内から合鍵で操作する事も可能となる。
これはサムターン回しや破壊による錠破りを受けた時に有効である。
錠の施錠操作で開扉スイッチを運転状態にしたい場合は、システムスイッチのダルマ（４４）とデッドボルトを動かすダルマ（５６）をギアか連結シャフトで連結し、連動させても良い。その場合はシステムスイッチのダルマにはシリンダーやサムターンを組み付けない。
【００１７】
電気的な方法で信号発信保持を行なう請求項３記載の方法を図９で説明する。この保持機能を持つスイッチは一般に市販されているもので良い。
保持スイッチはトリガーボルト(７３)と連動するように組み付け、ダルマ(７４)と連動させない。このスイッチの運転と運転停止は保持スイッチとつないだ運転スイッチ(８１)をダルマで動かす事で行なう。図の保持スイッチはソレノイド(７７)に開扉スイッチ(７８)を組み合わせたものである。
【００１８】
図９Ａが運転停止状態で扉が閉じている事を示す。
図９Ｂが運転状態で扉が開いている事を示す。
この状態でソレノイド(７７)に電流が流れ、開扉スイッチを保持する。
この後扉を閉じてもソレノイドが開扉スイッチのＯＮ状態を保持する。
ダルマを回し、運転スイッチを停止にするとソレノイドへの通電が止まり、開扉スイッチはＯＦＦとなる。
図９Ａはまた電池やブザーを組み込んだ請求項５記載のシステムスイッチを示す。
【発明の効果】
【００１９】
従来の電気錠やキースイッチは端末としての単純なスイッチにすぎず、それに電池やブザーを組み付けても使い易い防犯機器とはならない。
それは発報の保持機能やスタンバイ機能が無く、選択機能が無い為である。
従来の扉や窓の室内側に取り付ける開扉警報ブザーにはシリンダーを組み付ける機能が無く、屋内外からの合鍵による操作ができない。
そのため従来行なっている方法は集中制御の為の制御盤を設け、制御盤に必要な回路を組み込んで使用している。
本発明のシステムスイッチを使う事で、システムスイッチに電池やブザーを組み付けただけで有効な防犯機器が自己完結する事ができる。
【発明を実施するための最良の形態】
【００２０】
請求項１記載のシステムスイッチをマンションの玄関扉に取り付けた例で説明する。
システムスイッチは室内側にシリンダー、サムターン、無しが選べる。
室外側にもシリンダー、サムターン、無しが選べる。
これはシリンダーやサムターンを取り付け、取り外しできる事で可能である。
内外にシリンダーを取り付けた状態で説明する。
【００２１】
外出時に屋外からシステムスイッチを、合鍵を使って運転状態にする。
ドロボーが主錠を破壊、カム送り、サムターン回し、他の方法で破り、扉を開けたとする。扉を開けたと同時に警報が鳴り、扉を閉じても警報は止まらない。
警報が鳴っている中で屋内を物色する事はできず、泥棒は退散する。
屋内からも合鍵で操作すれば同様の効果が有る。
室内外から合鍵で操作する事で警報は合鍵が無いと止められない。
システムスイッチは内外共シリンダー、サムターン、無しを選択できるので多様な場所に警報スイッチとして使う事ができる。
【００２２】
請求項６記載のガードアーム錠の防犯効果を説明する。
外出の時、就寝する時に運転スイッチを運転状態にしてガードアームを掛ける。
来客の応対時は運転スイッチは運転状態にしない。
運転スイッチ運転状態で主錠が泥棒に破られた時を説明する。
扉を開けるとブザーが鳴り、泥棒は扉のガードアームを破壊するまで屋内に入る事はできず、泥棒は退散する。
１つ問題が有る。泥棒が少し開いた扉の開口から手を入れて運転スイッチを停止にするとブザーは止まってしまう。
その問題を解決する為に運転スイッチも合鍵で操作する事が考えられる。
またタイマー連動スイッチで、一度ＯＮになると数分間通電後通電が止まるスイッチでも良い。
また屋外から操作しにくい位置にコードを伸ばして運転スイッチを取り付けても良い。
【図面の簡単な説明】
【００２３】
【図１】請求項１記載のシステムスイッチで室内側斜視図である。
【図２】Ａ．図１のＡＡ断面を示す。        Ｂ．システムスイッチを扉内に掘り込んで取り付けた時の同様断面を示す。
【図３】Ａ．図１のＢＢ断面で運転停止状態扉閉を示す。        Ｂ．運転状態扉閉でスタンバイ状態を示す。        Ｃ．運転状態扉開で発報状態を示す。        Ｄ．その後扉を閉じ、発報が保持している事を示す。
【図４】請求項６記載のガードアーム錠で、解錠閉扉運転停止状態を示す。
【図５】Ａ．施錠閉扉運転状態でスタンバイ状態を示す。        Ｂ．施錠開扉発報状態を示す。
【図６】請求項２記載の自己保持機能で、運転停止状態閉扉を示す。
【図７】Ａ．運転状態扉閉でスタンバイ状態を示す。        Ｂ．運転状態扉開で発報状態を示す。        Ｃ．その後扉を閉じ、発報が保持している事を示す。
【図８】図６の機能を錠ケース内に組み込んだ事を示す。
【図９】Ａ．請求項３記載の機能で、運転停止閉扉状態を示す。        Ｂ．運転状態扉開で発報状態を示す。
【符号の説明】
【００２４】
１    扉
２    スイッチケース
３    トリガーボルト
４    サムターン
５    サムターンツマミ
６    枠
７    ダルマ
８    シリンダー
９    シリンダー軸受け
１０    クリックバネ
１１    保持バネ
１２    保持バー
１３    トリガーバネ
１４    スイッチケース
１５    開扉スイッチ
１６    コード
１７    ガードアーム錠ケース
１８    ロッキングバー
１９    クリックバネ
２０    ガードボルト
２１    ロッキングカム
２２    ドアガード受けカバー
２３    ガードアーム
２４    運転スイッチ
２５    レバー
３１    枠
３２    扉
３３    スイッチケース
３４    トリガーボルト
３５    ダルマ
３６    シリンダー
３７    サムターン
３８    サムターンツマミ
４１    枠
４２    スイッチケース
４３    トリガーボルト
４４    ダルマ
４５    シリンダー軸受け
４６    運転カム
４７    保持バー
４８    保持バネ
４９    ガイド
５０    ストッパー
５１    トリガーバネ
５２    開扉スイッチ
５３    コード
５４    クリックバネ
５５    錠ケース
５６    ダルマ
５７    デッドボルト
５８    ラッチボルト
５９    錠受け
６０    トロカバー
６１    電池
６２    ブザー
７１    枠
７２    スイッチケース
７３    トリガーボルト
７４    ダルマ
７５    シリンダー軸受け
７６    運転カム
７７    ソレノイド
７８    開扉スイッチ
７９    絶縁体
８０    鉄
８１    運転スイッチ
８２    コード
８３    ブザー
８４    電池
８５    プッシャー
【図１】
2005282292.tif 000003
【図２】
2005282292.tif 000004
【図３】
2005282292.tif 000005
【図４】
2005282292.tif 000006
【図５】
2005282292.tif 000007
【図６】
2005282292.tif 000008
【図８】
2005282292.tif 000009
【図９】
2005282292.tif 000010
【図７】
2005282292.tif 000011